(57)【特許請求の範囲】
【請求項１】
第１および第２のスイッチと、
第１および第２のタイマと、
上記第１および上記第２のスイッチの出力にしたがって所定の制御を実行する制御回路と
を有し、
上記所定の制御は、
上記第１のスイッチを押したとき、上記第１のタイマの計時をスタートさせ、
上記第１のタイマの計時中に上記第２のスイッチを押さなかったときには、処理を終了し、
上記第１のタイマの計時中に上記第２のスイッチを押したときには、上記第２のタイマの計時をスタートさせ、
上記第２のタイマの計時中に上記第２のスイッチを再び押さなかったときには、第１の処理を実行し、
上記第２のタイマの計時中に上記第２のスイッチを再び押したときには、第２の処理を実行する
制御であるようにした操作装置。
【請求項２】
第１および第２のスイッチと、
第１および第２のタイマと、
上記第１および上記第２のスイッチの出力にしたがって所定の制御を実行する制御回路と
を有し、
上記所定の制御は、
上記第１のスイッチを押したとき、上記第１のタイマの計時をスタートさせ、
上記第１のタイマの計時中に上記第２のスイッチを押さなかったときには、処理を終了し、
上記第１のタイマの計時中に上記第２のスイッチを押したときには、上記第２のタイマの計時をスタートさせ、
上記第２のタイマの計時中に上記第２のスイッチを再び押さなかったときには、第１の処理を実行し、
上記第２のタイマの計時中に上記第２のスイッチを再び押したときには、上記第２のタイマの計時を再スタートさせ、
上記第２のタイマの再スタートによる計時中に上記第２のスイッチを再び押さなかったときには、第２の処理を実行し、
上記第２のタイマの再スタートによる計時中に上記第２のスイッチを再び押したときには、第３の処理を実行する
制御であるようにした操作装置。
【請求項３】
請求項２に記載の操作装置において、
上記第２のタイマの時間が上記第１のタイマの時間よりも短く設定されている
ようにした操作装置。
【請求項４】
第１のスイッチを押したとき、第１のタイマの計時をスタートさせ、
上記第１のタイマの計時中に上記第２のスイッチを押さなかったときには、処理を終了し、
上記第１のタイマの計時中に上記第２のスイッチを押したときには、第２のタイマの計時をスタートさせ、
上記第２のタイマの計時中に上記第２のスイッチを再び押さなかったときには、第１の処理を実行し、
上記第２のタイマの計時中に上記第２のスイッチを再び押したときには、上記第２のタイマの計時を再スタートさせ、
上記第２のタイマの再スタートによる計時中に上記第２のスイッチを再び押さなかったときには、第２の処理を実行し、
上記第２のタイマの再スタートによる計時中に上記第２のスイッチを再び押したときには、第３の処理を実行する
ようにした制御方法。
【請求項５】
請求項４に記載の制御方法において、
上記第２のタイマの時間を上記第１のタイマの時間よりも短くする
ようにした制御方法。
【発明の詳細な説明】
【０００１】
【発明の属する技術分野】
この発明は、操作装置に関する。
【０００２】
【従来の技術】
いわゆるヘッドホンステレオやポータブルＭＤなどのポータブルオーディオ機器は、再生音をヘッドホンにより聴くように構成されている。そして、その場合、操作性を高めるため、ヘッドホンケーブルの途中にリモコン（遠隔操作）のスイッチが設けられ、そのスイッチを操作することによりオーディオ機器本体の動作を制御できるようにされている。
【０００３】
【発明が解決しようとする課題】
ところが、オーディオ機器本体、例えばヘッドホンステレオをリモコンするには、再生、停止、早送り、巻き戻しを行うために、４個の操作スイッチが必要になり、これら４個の操作スイッチをリモコン操作部に設ける必要がある。
【０００４】
しかも、ヘッドホンステレオやヘッドホンをバッグなどの中に入れているときに、誤って操作スイッチが押されても、ヘッドホンステレオが無駄に動作しないように、操作スイッチをロックしておくためのロックスイッチを設ける必要もある。
【０００５】
しかし、このようにリモコン操作部に多数のスイッチを設けると、スイッチを間違えて操作してしまうなど、個々のスイッチの操作性が悪くなってしまう。
【０００６】
この発明は、このような問題点を解決しようとするものである。
【０００７】
【課題を解決するための手段】
この発明においては、例えば、
第１および第２のスイッチと、
第１および第２のタイマと、
上記第１および上記第２のスイッチの出力にしたがって所定の制御を実行する制御回路と
を有し、
上記所定の制御は、
上記第１のスイッチを押したとき、上記第１のタイマの計時をスタートさせ、
上記第１のタイマの計時中に上記第２のスイッチを押さなかったときには、処理を終了し、
上記第１のタイマの計時中に上記第２のスイッチを押したときには、上記第２のタイマの計時をスタートさせ、
上記第２のタイマの計時中に上記第２のスイッチを再び押さなかったときには、第１の処理を実行し、
上記第２のタイマの計時中に上記第２のスイッチを再び押したときには、第２の処理を実行する
制御であるようにした操作装置
とするものである。
したがって、第１のスイッチを押してから所定の期間内に第２のスイッチを押すと、その第２のスイッチを押した回数に対応した処理が実行される。
【０００８】
【発明の実施の形態】
図１は、この発明をヘッドホンステレオに適用した場合の一形態を示し、符号１０は、そのヘッドホンステレオ、符号２０はヘッドホンである。
【０００９】
そして、ヘッドホンステレオ１０は、再生回路１１およびマイクロコンピュータ１３などを有する。この場合、再生回路１１は、カセットテープ（図示せず）の再生、停止、早送り、巻き戻しを行うためのテープ走行機構をも有し、再生時には、左および右チャンネルのオーディオ信号Ｌ、Ｒを出力する。そして、この信号Ｌ、Ｒは、直流カット用のコンデンサＣ11、Ｃ12を通じてヘッドホンジャック１２の左および右のホット側接点１２Ｌ、１２Ｒに供給される。なお、ジャック１２のコールド側接点１２Ｇは接地される。
【００１０】
また、マイクロコンピュータ１３は、再生回路１１の動作を制御するための制御回路である。このため、マイクロコンピュータ１３から再生回路１１に動作モードなどを制御するための信号が供給されるとともに、再生回路１１から動作モードなどを示す信号が供給される。また、マイクロコンピュータ１３には、各種の操作キー（操作スイッチ）１４が接続される。
【００１１】
さらに、ジャック１２の接点１２Ｌ、１２Ｒが抵抗器Ｒ11、Ｒ12によりプルアップされるとともに、接点１２Ｌ、１２Ｒに得られる電圧Ｖ11、Ｖ12が、バッファ抵抗器Ｒ13、Ｒ14を通じてマイクロコンピュータ１３の入力ポートＰ11、Ｐ12に供給される。
【００１２】
また、マイクロコンピュータ１３には、そのＣＰＵ（図示せず）が実行するプログラムの一部として、例えば図２に示すようなルーチン１００が用意される。このルーチン１００は、ヘッドホンステレオ１０の動作をリモコン制御するためのものであり、その詳細については後述する。なお、図２においては、ルーチン１００は、この発明に関係する部分だけを抜粋して示している。
【００１３】
さらに、マイクロコンピュータ１３には、比較的長い時間、例えば３秒を計時する第１のタイマ＃１と、比較的短い時間、例えば0.5秒を計時する第２のタイ マ＃２とが、ソフトウェアにより用意される。
【００１４】
一方、ヘッドホン２０は、ヘッドホンプラグ２１、リモコン操作部２２、ヘッドホンユニット（電気／音響変換ユニット）２３Ｌ、２３Ｒを有する。そして、プラグ２１が、ヘッドホンケーブル２４を通じてヘッドホンユニット２３Ｌ、２３Ｒに接続されるとともに、ケーブル２４の途中にリモコン操作部２２が設けられる。
【００１５】
そして、リモコン操作部２２において、ケーブル２４のうち、信号Ｌ、Ｒの流れるケーブル２４Ｌ、２４Ｒには、直流カット用のコンデンサＣ21、Ｃ22が直列接続されるとともに、コンデンサＣ21、Ｃ22よりもヘッドホンユニット２３Ｌ、２３Ｒ側において、ケーブル２４のコールド側ケーブル２４Ｇとの間に、音量調整用の可変抵抗器Ｒ21、Ｒ22が接続される。また、ケーブル２４Ｌ、２４Ｒとケーブル２４Ｇとの間に、コンデンサＣ21、Ｃ22よりもプラグ２１側において、ノンロックタイプのプッシュスイッチＳＷ21、ＳＷ22が接続される。
【００１６】
図３は、リモコン操作部２２の外観の例を示すもので、図３ＡおよびＢのリモコン操作部２２においては、スイッチＳＷ21、ＳＷ22の操作部２２１、２２２が外部に露出されるとともに、可変抵抗器Ｒ21、Ｒ22の操作つまみ２２３も外部に露出される。また、図３Ｃのリモコン操作部２２においては、つまみ２２４がいわゆるジョグダイヤルとされている場合で、矢印Ｐにより示すように、つまみ２２４を押し込むと、スイッチＳＷ21がオンとされ、矢印Ｑにより示すように、つまみ２２４を矢印Ｐとは直交する方向を中心に回転させるとスイッチＳＷ22がオンとされる。
【００１７】
このような構成において、プラグ２１をジャック１２に差し込み、ヘッドホンステレオ１０を再生モードにすると、再生回路１１から出力されるオーディオ信号Ｌ、Ｒが、コンデンサＣ11、Ｃ12→ジャック１２→プラグ２１→ケーブル２４→コンデンサＣ21、Ｃ22→可変抵抗器Ｒ21、Ｒ22→ケーブル２４の信号ラインを通じてヘッドホンユニット２３Ｌ、２３Ｒに供給される。したがって、ヘッドホン２０により再生音を聴くことができる。
【００１８】
そして、この場合、第１のスイッチＳＷ21がオンのときには、ケーブル２４Ｌ、２４Ｇおよびプラグ２１を通じてジャック１２の接点１２Ｌと、接点１２Ｇとが短絡されることになる。したがって、このとき、接点１２Ｌの電圧Ｖ11は“Ｌ”となる。しかし、スイッチＳＷ21がオフのときには、ジャック１２の接点１２Ｌと、接点１２Ｇとが短絡されなくなる。したがって、このとき、接点１２Ｌの電圧Ｖ11は“Ｈ”となる。
【００１９】
そして、この電圧Ｖ11がマイクロコンピュータ１３の入力ポートＰ11に供給されるので、マイクロコンピュータ１３は、電圧Ｖ11の状態からスイッチＳＷ21のオン・オフの状態、すなわち、スイッチＳＷ21が押されたかどうかを知ることができる。
【００２０】
同様にして、第２のスイッチＳＷ22がオンのときには、Ｖ12＝“Ｌ”となり、オフのときには、Ｖ12＝“Ｈ”となるとともに、この電圧Ｖ12がマイクロコンピュータ１３の入力ポートＰ12に供給されるので、マイクロコンピュータ１３は、電圧Ｖ12の状態からスイッチＳＷ22が押されたかどうかを知ることができる。
【００２１】
そして、これらスイッチＳＷ21、ＳＷ22が操作されると、その操作がマイクロコンピュータ１３により判別されてルーチン１００が実行され、ヘッドホンステレオ１０は、スイッチＳＷ21、ＳＷ22の操作に対応した動作モードになる。
【００２２】
すなわち、ヘッドホンステレオ１０が任意の動作モードにある場合に、スイッチＳＷ21を一時的にオンにすると、マイクロコンピュータ１３のＣＰＵの処理がルーチン１００のステップ１０１からスタートし、次にステップ１０２において、３秒間を計時するタイマ＃１がスタートされる。
【００２３】
続いて、処理はステップ１０３に進み、このステップ１０３において、スイッチＳＷ22が押されたかどうかが判別され、押されていないときには、処理はステップ１０３からステップ１０４に進み、このステップ１０４において、ステップ１０２によりスタートした３秒タイマ＃１をチェックすることにより、ステップ１０２が実行されてから３秒が経過したかどうかが判別され、経過していないときには、処理はステップ１０４からステップ１０３に戻る。したがって、以後、ステップ１０３、１０４が繰り返されることになる。
【００２４】
そして、ステップ１０３、１０４が繰り返されるようになってから３秒が経過すると、これがステップ１０４により検出され、処理はステップ１０４からステップ１０５に進み、このルーチン１００を終了する。したがって、スイッチＳＷ21を押してから３秒の期間に何もしないでいると、そのスイッチＳＷ21を押したことがキャンセルあるいは無視されることになる。
【００２５】
しかし、ステップ１０３、１０４が繰り返されている３秒の期間に、スイッチＳＷ22が押されると、これがステップ１０３により検出され、処理はステップ１０３からステップ１１２に進み、このステップ１１２において、0.5秒間を計時 するタイマ＃２がスタートされる。
【００２６】
続いて、処理はステップ１１３に進み、このステップ１１３において、スイッチＳＷ22が押されたかどうかが判別され、押されていないときには、処理はステップ１１３からステップ１１４に進み、このステップ１１４において、ステップ１１２によりスタートした0.5秒タイマ＃２をチェックすることにより、ステッ プ１１２が実行されてから0.5秒が経過したかどうかが判別され、経過していな いときには、処理はステップ１１４からステップ１１３に戻る。したがって、以後、ステップ１１３、１１４が繰り返されることになる。
【００２７】
そして、ステップ１１３、１１４が繰り返されるようになってから0.5秒が経 過すると、これがステップ１１４により検出され、処理はステップ１１４からステップ１１５に進む。すると、このステップ１１５において、再生回路１１が再生モードであるかどうかが判別され、再生モードではないときには（停止モード、早送りモード、巻き戻しモードのときには）、処理はステップ１１５からステップ１１６に進み、このステップ１１６において、再生回路１１は再生モードに遷移され、その後、ステップ１０５によりルーチン１００を終了する。
【００２８】
また、ステップ１１５において、再生回路１１が再生モードのときには、処理はステップ１１５からステップ１１７に進み、このステップ１１７において、再生回路１１は停止モードに遷移され、その後、ステップ１０５によりルーチン１００を終了する。
【００２９】
したがって、スイッチＳＷ21を押してから３秒以内にスイッチＳＷ22を押すと、そのとき、ヘッドホンステレオ１０が再生モードでなけれ、再生モードになり、再生モードであれば、停止モードになる。
【００３０】
さらに、ステップ１１３、１１４が繰り返されている0.5秒の期間に、スイッ チＳＷ22が押されると、これがステップ１１３により検出され、処理はステップ１１３からステップ１２２に進み、このステップ１２２において、0.5秒タイマ ＃２が再び最初からスタートされる。
【００３１】
続いて、処理はステップ１２３に進み、このステップ１２３において、スイッチＳＷ22が押されたかどうかが判別され、押されていないときには、処理はステップ１２３からステップ１２４に進み、このステップ１２４において、ステップ１２２によりスタートした0.5秒タイマ＃２をチェックすることにより、ステッ プ１２２が実行されてから0.5秒が経過したかどうかが判別され、経過していな いときには、処理はステップ１２４からステップ１２３に戻る。したがって、以後、ステップ１２３、１２４が繰り返されることになる。
【００３２】
そして、ステップ１２３、１２４が繰り返されるようになってから0.5秒が経 過すると、これがステップ１２４により検出され、処理はステップ１２４からステップ１２５に進む。そして、このステップ１２５において、再生回路１１が早送りモードに遷移され、その後、ステップ１０５によりルーチン１００を終了する。
【００３３】
したがって、スイッチＳＷ21を押してから３秒以内にスイッチＳＷ22を押し、さらに、0.5秒以内にもう一度スイッチＳＷ22を押すと、ヘッドホンステレオ１ ０は早送りモードになる。
【００３４】
さらに、ステップ１２３、１２４が繰り返されている0.5秒の期間に、スイッ チＳＷ22が押されると、これがステップ１２３により検出され、処理はステップ１２３からステップ１２６に進み、このステップ１２６において、再生回路１１が巻き戻しモードに遷移され、その後、ステップ１０５によりルーチン１００を終了する。
【００３５】
したがって、スイッチＳＷ21を押してから３秒以内にスイッチＳＷ22を押し、続いて0.5秒以内にスイッチＳＷ22を押し、さらに、0.5秒以内に再びスイッチＳＷ22を押すと、ヘッドホンステレオ１０は巻き戻しモードになる。
【００３６】
以上の動作をまとめると、次のとおりである。すなわち、
▲１▼  スイッチＳＷ21を押して３秒以内にスイッチＳＷ22を押さない場合
何も動作しない。
▲２▼  スイッチＳＷ21を押して３秒以内にスイッチＳＷ22を押した場合
再生モードでなければ、再生モードになる。
再生モードであれば、停止モードになる。
▲３▼  スイッチＳＷ21を押して３秒以内にスイッチＳＷ22を押し、さらに、0.5秒 以内にスイッチＳＷ22を押した場合
早送りモードになる。
▲４▼  スイッチＳＷ21を押して３秒以内にスイッチＳＷ22を押し、さらに、0.5秒 以内にスイッチＳＷ22を押し、その後、0.5秒以内にスイッチＳＷ22を押した場 合
巻き戻しモードになる。
【００３７】
こうして、上述のヘッドホンステレオ１０およびヘッドホン２０によれば、まず、スイッチＳＷ21を押し、続いてスイッチＳＷ22を押すと、そのスイッチＳＷ22を押した回数に対応して、動作モードが切り換えられる。したがって、ヘッドホン２０のリモコン操作部２０には、リモコンのために、２個のスイッチＳＷ21、ＳＷ22を設けるだけでよいので、スイッチを間違えにくくなり、操作性がよくなる。
【００３８】
また、このとき、スイッチＳＷ21を押した後にスイッチＳＷ22を押した回数と、遷移先の動作モードとが常に対応しているので、動作モードの切り換えが間違えにくくなり、操作性がよくなる。
【００３９】
さらに、リモコンの操作スイッチもスイッチＳＷ21、ＳＷ22の２つとなるので、図１からも明らかなように、スイッチＳＷ21、ＳＷ22のオン・オフを検出するための回路構成が簡単になる。
【００４０】
また、スイッチＳＷ21を押して３秒以内にスイッチＳＷ22を操作した場合のみ、スイッチＳＷ22の操作が有効となるので、ヘッドホンステレオ１０およびヘッドホン２０をバッグなどの中に入れているときに、誤ってスイッチＳＷ22が押されても、ヘッドホンステレオ１０が無駄に動作することがない。
【００４１】
ところで、車両に搭載して使用するオーディオ装置、すなわち、いわゆるカーオーディオとして、リモコンによっても各種の操作ができるようにしたものがある。図４は、そのようなカーステレオにおいて、そのリモコン送信機に、この発明を適用した場合の一形態を示す。
【００４２】
すなわち、図４において、符号３０は、赤外線式に構成されたリモコン送信機を示す。そして、エンコーダ回路および制御回路として動作するマイクロコンピュータ３１が設けられ、操作キー（操作スイッチ）３２を操作すると、マイクロコンピュータ３１からは、そのキー操作に対応した内容のリモコン信号が出力され、このリモコン信号がドライブアンプ３３を通じて赤外線発光素子、例えば赤外線ＬＥＤ３４に供給される。
【００４３】
したがって、キー３２を操作すると、カーオーディオ（図示せず）は、その操作されたキーに対応した動作状態となる。
【００４４】
さらに、マイクロコンピュータ３１の入力ポートＰ31、Ｐ32に、プルアップ用の抵抗器Ｒ31、Ｒ32およびスイッチＳＷ21、ＳＷ22が接続され、スイッチＳＷ21、ＳＷ22のオン・オフにより変化する電圧Ｖ11、Ｖ12がポートＰ31、Ｐ32に供給される。
【００４５】
そして、マイクロコンピュータ３１には、ルーチン１００と同様のルーチンが設けられる。ただし、この場合のルーチンは、例えば、ステップ１１５、１２５、１２６が、ＣＤの再生モード、ＭＤの再生モード、ＦＭ放送の受信モードへの遷移の処理とされる。
【００４６】
したがって、このリモコン送信機によれば、まず、スイッチＳＷ21を押し、続いてスイッチＳＷ22を押すと、そのスイッチＳＷ22を押した回数に対応して、ＣＤの再生、ＭＤの再生、ＦＭ放送の受信のようにソースが切り換えられる。そして、このとき、スイッチＳＷ21を押した後にスイッチＳＷ22を押した回数と、再生されるソースとが常に対応しているので、ソースの切り換えが間違えにくくなり、操作性がよくなる。
【００４７】
なお、上述において、例えば、ステップ１０３とステップ１０４との間にスイッチＳＷ21が押されたかどうかを判別するステップを設けることにより、ステップ１０３、１０４が繰り返されている期間に、スイッチＳＷ21が押されたときには、ルーチン１００を終了するようにし、同様にステップ１１３、１１４が繰り返されている期間およびステップ１２３、１２４が繰り返されている期間にもスイッチＳＷ21が押されたときには、ルーチン１００を終了するようにすれば、間違えてスイッチＳＷ21を押したときに、あるいはスイッチＳＷ22を押す回数を間違えたときなどに、スイッチＳＷ21、ＳＷ22の押されたことをキャンセルすることができる。
【００４８】
また、操作キー１４、３２もスイッチＳＷ21、ＳＷ22と同様に構成することができる。
【００４９】
〔この明細書で使用している略語の一覧〕
ＣＤ    ：Compact Disc
ＣＰＵ  ：Central Processing Unit
ＬＥＤ  ：Light Emitting Diode
ＭＤ    ：Mini Disc
リモコン：Remote Control
【００５０】
【発明の効果】
この発明によれば、２個のスイッチを設けるだけでよいので、スイッチを間違えにくくなり、操作性がよくなる。また、まず、第１のスイッチを押し、続いて第２のスイッチを押すと、その第２のスイッチを押した回数に対応して、動作モードやソースなどを切り換えることができるので、動作モードやソースの切り換えなどが間違えにくくなり、この点からも操作性がよくなる。
【００５１】
さらに、２個のスイッチでよいので、それらのスイッチのオン・オフを検出するための回路構成が簡単になる。
【００５２】
また、第１のスイッチを押してから所定の期間内に第２のスイッチを押した場合のみ、第２のスイッチの操作が有効となるので、誤って第２のスイッチが押されても、ヘッドホンステレオなどが無駄な動作をすることがない。
【図面の簡単な説明】
【図１】この発明の一形態を示す接続図である。
【図２】この発明の一形態を示すフローチャートである。
【図３】この発明の一形態の一部を示す斜視図である。
【図４】この発明の他の形態を示す接続図である。
【符号の説明】
＃１…第１のタイマ、＃２…第２のタイマ、１０…ヘッドホンステレオ、１１…再生回路、１２…ヘッドホンジャック、１３…マイクロコンピュータ、１４…操作キー、２０…ヘッドホン、２１…リモコン操作部、２３Ｌおよび２３Ｒ…ヘッドホンユニット、２４…ヘッドホンケーブル
【図１】
0004139935.tif 000002
【図２】
0004139935.tif 000003
【図３】
0004139935.tif 000004
【図４】
0004139935.tif 000005